(57)【要約】開示されたディスクカートリッジは、ディスクが収納されるケースと、前記ケースに開閉自在に設置されて外部に開放された開放ホールが形成されたカバーと、前記ケース内のディスク下方に移動自在に設置されてそのケースに形成された開口ホールを開閉するシャッターと、前記開放ホールを密閉するように前記カバーに設置されて前記ディスクをクランプするクランプ部材とを含んで構成される。このような構成のディスクカートリッジは、クランプ部材でカバー側の外部と通じる孔を閉塞することによりカートリッジ内へのホコリの流入可能性を減らすことができ、また、クランプ部材をディスクドライブ装置に設置する必要がなくなるのでディスクドライブ装置を簡素化かつスリム化させるのに有利な効果を有する。
2005518623.tif 000002
【特許請求の範囲】
【請求項１】
ディスクが収納されるケースと、
前記ケースに開閉自在に設置されて外部に開放された開放ホールが形成されたカバーと、
前記ケース内のディスク下方に移動自在に設置されてそのケースに形成された開口ホールを開閉するシャッターと、
前記開放ホールを密閉するように前記カバーに設置されて前記ディスクをクランプするクランプ部材とを含むことを特徴とするディスクカートリッジ。
【請求項２】
前記クランプ部材は、
前記カバーの開放ホール枠部に支持されるクランプホルダーと、
ディスクドライブ装置内で前記ディスクが載置されるターンテーブルとの磁気的引力を作用させるために前記クランプホルダーに設置された磁性体と、
前記クランプホルダーの上方で前記開放ホールを覆って密閉させる蓋とを含むことを特徴とするディスクカートリッジ。
【請求項３】
前記シャッターには、所定角度に傾いた傾斜面を持って前記ディスクの外周側の非情報領域を支持するように突出した突出部が設けられて、
前記シャッターが開く時にはディスクが前記傾斜面に沿って降下し、
前記シャッターが閉じる時にはディスクが前記傾斜面に沿って上昇して前記蓋に密着されるようになっていることを特徴とする請求項２に記載のディスクカートリッジ。
【請求項４】
前記ケースには前記シャッターの移動軌跡に沿ってガイドホールが形成され、
前記シャッターには前記ガイドホールに摺動自在に挿入され、その端部が前記ガイドホールの接触部に係止されるようになっている支持部材が設けられたことを特徴とする請求項１に記載のディスクカートリッジ。
【請求項５】
前記シャッターは相互密着および離隔されつつ前記開口ホールを開閉する第１および２シャッター部を含み、
前記第１および２シャッター部のうちいずれか一方には結合溝が形成され、他の一方にはその結合溝に結合される結合突起が形成されて、相互密着時に前記結合突起が結合溝に嵌め込まれるようになっていることを特徴とする請求項１に記載のディスクカートリッジ。
【請求項６】
前記ケースには前記傾斜面に沿って降下するディスクの内周側の非情報領域を支持する突起が設けられたことを特徴とする請求項１に記載のディスクカートリッジ。
【請求項７】
ディスクが収納されるケースと、
前記ケース上面に開閉自在に設置されてそのケース上面を密閉するカバーと、
前記ケース内のディスク下方に移動自在に設置されてそのケースに形成された開口ホールを開閉するシャッターと、
前記カバーの内側面に設置されて前記ディスクをクランプするクランプ部材とを含むことを特徴とするディスクカートリッジ。
【請求項８】
前記クランプ部材は、
前記カバーの内側面に設置されるリング部材と、
前記リング部材の枠部に係止されて支持されるクランプホルダーと、
ディスクドライブ装置内で前記ディスクが載置されるターンテーブルとの磁気的引力を作用させるために前記クランプホルダーに設置された磁性体とを含むことを特徴とする請求項７に記載のディスクカートリッジ。
【請求項９】
前記シャッターには、所定角度に傾いた傾斜面を持って前記ディスクの外周側の非情報領域を支持するように突出した突出部が設けられて、
前記シャッターが開く時にはディスクが前記傾斜面に沿って降下し、
前記シャッターが閉じる時にはディスクが前記傾斜面に沿って上昇して前記カバー内側面に密着されるようになっていることを特徴とする請求項８に記載のディスクカートリッジ。
【請求項１０】
前記ケースには前記シャッターの移動軌跡に沿ってガイドホールが形成され、
前記シャッターには前記ガイドホールに摺動自在に挿入され、その端部が前記ガイドホールの接触部に係止されるようになっている支持部材が設けられたことを特徴とする請求項７に記載のディスクカートリッジ。
【請求項１１】
前記シャッターは相互密着および離隔されつつ前記開口ホールを開閉する第１および２シャッター部を含み、
前記第１および２シャッター部のうちいずれか一方には結合溝が形成され、他の一方にはその結合溝に結合される結合突起が形成されて、相互密着時に前記結合突起が結合溝に嵌め込まれるようになっていることを特徴とする請求項７に記載のディスクカートリッジ。
【請求項１２】
前記ケースには、前記傾斜面に沿って降下するディスクの内周側の非情報領域を支持する突起が設けられたことを特徴とする請求項７に記載のディスクカートリッジ。
【発明の詳細な説明】
【技術分野】
【０００１】
本発明は情報記録再生媒体のディスクを収納してホコリや指紋などの汚染源からその記録面を保護するディスクカートリッジに関する。
【背景技術】
【０００２】
一般的にディスクカートリッジは情報記録再生媒体であるディスクを収納してディスクドライブ装置に装着されるものであって、図１に示すように、従来のディスクカートリッジ１００はディスクＤを収納するケース１０１と、ケース１０１内に回転自在に設置されてディスクドライブ装置のピックアップ（図示せず）がディスクＤにアクセスできるようにケース１０１に形成された開口ホール１０２を選択的に開閉するシャッター１１０および、ケース１０１の上部に固定されるカバー１０３を具備する。参照符号１０３ｂは、ディスクＤの交換およびクランプのためにカバー１０３に形成された開放ホールを表し、参照符号１０３ａは、開放ホール１０３ｂを通じてディスクＤが離脱しないようにカバー１０３に摺動自在に設置された離脱防止レバーを表す。したがって、ディスクＤを装着する時には離脱防止レバー１０３ａをディスクＤと干渉されないように後進させ、装着が完了した後には離脱防止レバー１０３ａを図面のように前進させてその先端部への開放ホール１０３ｂを通じるディスクＤの離脱を防ぐ。
【０００３】
このようなディスクＤが装着されたディスクカートリッジ１００をディスクドライブ装置に進入させれば、図２Ａに示すようにディスクドライブ装置に設置されたオープニングレバー１２０がロック片１１１ａを先に押してシャッター１１０の突起１１１ｃとケース１０１の溝１０１ａ間のロックを解除させ、次いで、図２Ｂに示すように、干渉片１１１ｂを押して左右回転軸１１０ａを中心に回動させる。シャッター１１０は左右回転軸１１０ａにそれぞれ回転自在に設置されて連動歯車部１１３で噛み合った第１および２シャッター部１１１、１１２より構成されており、干渉片１１１ｂと一体に連結された第１シャッター部１１１が時計回り方向に回転すれば、第２シャッター部１１２は反時計回り方向に回転するようになり、それにより第１および２シャッター部１１１、１１２の間が離れつつ開口ホール１０２が開放される。したがって、以後には開放された開口ホール１０２および開放ホール１０３ａを通じてディスクドライブ装置のターンテーブル（図示せず）およびクランパー（図示せず）がそれぞれ進入してディスクＤをクランプし、ピックアップ（図示せず）がディスクＤ記録面にアクセスして情報の記録および／または再生作業を実行する。そして、図には示していないが、第１シャッター部１１１とケース１０１の底面間にはその第１シャッター部１１１を図の反時計回り方向、すなわち、開口ホール１０２を閉じる方向に付勢するトーションバネが回転軸１１０ａに設置されていて、オープニングレバー１２０により加えられた力が除去されればシャッター１１０を元来の閉鎖状態に復帰させる。
【０００４】
ところが、このような構成では、カバー１０３の開放ホール１０３ｂを通じてホコリが流入されうる。もちろん、開放ホール１０３ｂ側に向っているディスクＤの上面は記録面でないために直接的にホコリによる汚染は生じないが、ホコリが入ってシャッター１１０上につけば、前記のような開閉動作時にシャッター１１０上にあったホコリが２次的にディスクの記録面についてしまう。そして、シャッター１１０を経てつかないとしても、一旦カートリッジ内へホコリが入り続ければディスク記録面が汚染される可能性は十分にある。
【０００５】
また、ケース１０１内にシャッター１１０を設置し、そのシャッター１１０上にディスクＤを載置するため、シャッター１１０の開閉動作時にディスク記録面（図のディスク下面）とシャッター１１０間に面接触が発生するようになり、ディスク記録面にスクラッチなどの損傷を負う恐れがある。
【０００６】
そして、前記のような構成では、シャッター１１０が閉じている状態で開口ホール１０２を通じてシャッター１１０を強く押せばシャッター１１０が容易に変形されてしまう問題がある。すなわち、このシャッター１１０は一側が回転軸１１０ａに回転自在に結合された状態にのみ支持されているために、例えば、ユーザーが開口ホール１０２を通じてシャッター１１０の他側をディスクＤ側に押し続ければシャッター１１０が容易に変形されてしまう。そのようになる場合、開閉動作が正常的になされず、開閉動作がなされるとしても第１および２シャッター１１１、１１２の間が離れてシャッターの機能を正常的に実行できなくなる恐れがある。
【０００７】
したがって、シャッター１１０の変形可能性を抑制してホコリの流入を抑制しつつもディスクの記録面を保護できる構造が要求されている。
【発明の開示】
【発明が解決しようとする課題】
【０００８】
本発明は前記の必要性を勘案してなされたものであり、ケース内へのホコリ流入を抑制でき、シャッターの開閉動作時にもディスク記録面を保護でき、外力によるシャッターの変形可能性を抑制してディスクをさらに安定的に保管できるように改善されたディスクカートリッジを提供するところにその目的がある。
【０００９】
前記目的を達成するための本発明のディスクカートリッジは、ディスクが収納されるケースと、前記ケースに開閉自在に設置されて外部に開放された開放ホールが形成されたカバーと、前記ケース内のディスク下方に移動自在に設置されてそのケースに形成された開口ホールを開閉するシャッターと、前記開放ホールを密閉するように前記カバーに設置されて前記ディスクをクランプするクランプ部材とを含むことを特徴とする。
【００１０】
また、本発明の他の特徴によるディスクカートリッジは、ディスクが収納されるケースと、前記ケース上面に開閉自在に設置されてそのケース上面を密閉するカバーと、前記ケース内のディスク下方に移動自在に設置されてそのケースに形成された開口ホールを開閉するシャッターと、前記カバーの内側面に設置されて前記ディスクをクランプするクランプ部材とを含むことを特徴とする。
【発明を実施するための最良の形態】
【００１１】
図３および図４は、本発明の一実施例によるディスクカートリッジを分離状態と結合状態とで示す。
【００１２】
図面を参照すれば、ディスクカートリッジはディスクＤを収納するケース２０１と、ディスクＤの下方でケース２０１に形成された開口ホール２０２を開閉させるシャッター２１０と、ケース２０１の上面を覆うカバー２０３、そして開放ホール２０３ａを密閉するようにカバー２０３に設置されたクランプ部材２４０を具備している。
【００１３】
ここでクランプ部材２４０は、従来にディスクドライブ装置にあったクランパーのようにディスクＤをクランプする機能を持つと同時に開放ホール２０３ａを閉塞する機能を持つ。すなわち、本構成ではディスククランプ機能のための部材をディスクドライブ装置ではないカートリッジカバー２０３に設置しつつ開放ホール２０３ａの閉塞機能まで付与した。詳細な構成は後述する。
【００１４】
次に、シャッター２１０は、ケース２０１の内部に相互対称的に回転可能に設置された第１および２シャッター部２１１、２１２よりなる。したがって、第１および２シャッター部２１１、２１２が互いに離れる方向に回転すれば開口ホール２０２が開放され（図６参照）、逆に互いに近づく方向に回転すれば開口ホール２０２が閉鎖される（図５参照）。参照符号２１３は第１および２シャッター部２１１、２１２を連動自在に連結させる連結部であって、それにより第１シャッター部２１１が回転すれば、第２シャッター部２１２はそれと対称となる方向に共に回転する。そして、第１および２シャッター部２１１、２１２とケース２０１の底面間には開口ホール２０２を閉じる方向にそれらを付勢するトーションバネ２０４が設置されており、オープニングレバー１２０により加えられた力が除去されればシャッター２１０を元来の閉鎖状態に復帰させる。
【００１５】
そして、第１および２シャッター部２１１、２１２にはディスクＤの外周側枠部Ｄ３に接触する突出部２３０、２２０が形成されている。すなわち、ディスクＤには内周側のクランプ領域Ｄ１と、情報が記録される情報領域Ｄ２および、情報領域Ｄ２外郭の枠部Ｄ３とが設けられているが、このうち、非情報領域の一つである枠部Ｄ３を突出部２２０、２３０が支持することによって、情報領域Ｄ２とシャッター２１０との接触を避けるようになっている。そして、この突出部２２０、２３０はディスクＤが載置された側に向って傾いた傾斜面２２１、２３１を具備する。したがって、図５のように第１および２シャッター部２１１、２１２が閉じている時にはディスクＤの枠部Ｄ３が突出部２２０、２３０の上端に支持されているが、図６のように第１および２シャッター部２１１、２１２が開けばディスクＤが傾斜面２２１、２３１に沿って降下する。降下したディスクＤは、ケース２０１に形成された突起２０５によりその内周側クランプ領域Ｄ１が支持される。そして、図５のようにシャッター２１０が閉じることによって上昇したディスクＤは、そのクランプ領域Ｄ１がクランプ部材２４０に密着される。
【００１６】
また、第１および２シャッター部２１１、２１２の下面、すなわち、ディスクＤが載置される面の反対側面にはケース２０１に形成されたガイドホール２０６に摺動自在に挿入される支持部材２０７が設けられている。ガイドホール２０６は、第１および２シャッター部２１１、２１２の回転時に支持部材２０７が動く軌跡に沿って形成されている。したがって、第１および２シャッター部２１１、２１２の開閉動作時、支持部材２０７はガイドホール２０６に沿って摺動移動する。そして、ガイドホール２０６に挿入された支持部材２０７の端部２０７ａは、図７に示したようにガイドホール２０６の接触部２０６ａに係止されるようになっている。したがって、矢印Ｆ方向にシャッター２１０に外力が加えられても端部２０７ａがガイドホール２０６の接触部２０６ａに係止されるために、シャッター２１０はケース２０１内側に変形されない。ここで、端部２０７ａはケース２０１外側に突出するように構成することもあるが、図のように、ケース２０１にガイドホール２０６と連通された収容部２０６ｂを形成して、端部２０７ａをケース２０１面より外側に突出させずにその中に収容させることが望ましい。
【００１７】
そして、第１および２シャッター部２１１、２１２の密着される位置には、図８に示したように相互挿入結合される結合突起２１１ａと結合溝２１２ａとがそれぞれ形成されている。これは、開口ホール２０２を閉じつつ第１シャッター部２１１と第２シャッター部２１２とが密着される時に互いに一体的に結ぶことによって、矢印Ｆ方向に外力が加えられても第１および２シャッター部２１１、２１２が互いに分離されている時よりはシャッターの変形が起き難くしたものである。もちろん、図と反対に第２シャッター部２１２に結合突起を形成し、第１シャッター部２１１に結合溝を形成することもある。
【００１８】
一方、クランプ部材２４０は、前記のようにカバー２０３の開放ホール２０３ａを完全に閉塞してホコリのような異物の流入を防止し、また必要時にディスクＤをクランプするようになったものであり、図３および図４に示したようにクランプ部材２４０は、開放ホール２０３ａの枠部に支持されるクランプホルダー２４１と、そのクランプホルダー２４１に設置されたヨーク２４２と、クランプホルダー２４１の上方で開放ホール２０３ａを完全に覆う蓋２４３とを含む。したがって、開放ホール２０３ａはクランプ部材２４０により完全に閉塞されるためにこの開放ホール２０３ａを通じてはホコリが流入されない。その代わりに、ディスクＤを交換する時には図４のようにカバー２０３をオープンした後、その中に収納されたディスクＤを取り出して新しいディスクを装着すればよい。そして、クランプホルダー２４０は、ケース２０１内のディスクＤが上昇した状態になる時、そのディスクＤのクランプ領域Ｄ１と密着される。ディスクＤが上昇する場合は、図１１のように第１および２シャッター部２１１、２１２が閉じつつディスクＤが傾斜面２２１、２３１に沿って上昇する場合と、図１０のようにディスクドライブ装置内で記録再生作業のために開口ホール２０２を通じてターンテーブルＴが入りつつディスクＤがターンテーブルＴに載置されて上昇する場合とがある。この時、ヨーク２４２とターンテーブルＴに設置された磁石Ｔ１間に磁気的な引力を発生し、これがディスクＤをクランプする力として作用する。
【００１９】
参照符号２１１ｂは、第１シャッター部２１１に設けられたものであり、一端には開口ホール２０２を閉じる時、第２シャッター部２１２のロック突起２１２ｂに形成されたロック溝２１２ｂ’に弾力的に結合されるロックフック２１１ｃが備えられたロック片を示す。
【００２０】
このようなディスクＤが装着されたディスクカートリッジは図５に示すように、シャッター２１０およびカバー２０３がいずれも閉じた状態でディスクドライブ装置内へ進入する。この時には、カートリッジ内にホコリなどが流入されうる通路がいずれも閉塞されている状態である。前記ディスクカートリッジが進入すれば、図６に示したように、ディスクドライブ装置に設置されたオープニングレバー１２０がロック片２１１ｂを押してロックフック２１１ｃとロック溝２１２ｂ’とのロックを解除した後、ロック溝２１２ｂ’が形成されたロック突起２１２ｂを押しつつ第２シャッター部２１２を図の時計回り方向に回転させる。よって、第１シャッター部２１１は連結部２１３により連動されて反時計回り方向に回転し、それにより第１および２シャッター部２１１、２１２間に開口ホール２０２が開放される。ところが、この時、ディスクＤには第１および２シャッター部２１１、２１２の突出部２２０、２３０だけ接触しており、その接触部位も非情報領域であるディスクＤの枠部Ｄ３に限定されているために、シャッター２１０の開閉動作時にも記録面の情報領域が損傷を負う危険はほとんどなくなる。そして、シャッター２１０が開くことによってディスクＤは突出部２２０、２３０の傾斜面２２１、２３１に沿って降下して、図６および図９に示すように突起２０５の上面と傾斜面２２１、２３１とに一時的に支持される。この状態で開放された開口ホール２０２を通じてディスクドライブ装置のディスク駆動用ターンテーブル（図示せず）が進入して、突起２０５および傾斜面２２１、２３１上に支持されていたディスクＤを図１０のようにクランプ部材２４０間にクランプさせる。以後、ターンテーブルの回転駆動と共にディスクＤに対する記録および再生作業が進行される。
【００２１】
一方、記録再生作業が終了すれば、前記ターンテーブルが降下しつつクランプ部材２４０とのクランプが解除され、ディスクＤは一応突起２０５および傾斜面２２１、２３１上に非情報領域Ｄ１、Ｄ３が支持された状態になる。この状態でディスクカートリッジがディスクドライブ装置から離脱すれば、第１および２シャッター部２１１、２１２が元来の位置に回動して開口ホール２０２が閉じるが、この時、ディスクＤの外周側枠部Ｄ３が突出部２２０、２３０の傾斜面２２１、２３１に沿って上昇して図５に示した状態に戻る。この時にもやはり情報領域Ｄ２にはシャッター２１０が接触せずに閉鎖動作がなされるために、情報領域Ｄ２は安全に保持される。また、この状態ではディスクＤが傾斜面２２１、２３１に沿って上昇して、図１１に示したように開放ホール２０３ａの枠部に支持されていたクランプホルダー２４１を押し上げて蓋２４３に密着させる。すなわち、この時にはクランプホルダー２４１がディスクＤと蓋２４３間にクランプされるようになる。このようになれば、クランプホルダー２４１が遊動できなくなるので、ディスクカートリッジの移動時にクランプホルダー２４１がカバー２０３や蓋２４３などの周辺要素にぶつかってガタガタする現象を防止できる。
【００２２】
そして、このようなシャッター２１０が閉じた状態では前記のように第１および２シャッター部２１１、２１２の結合突起２１１ａと結合溝２１２ａとが結合されており、また、支持部材２０７の端部２０７ａがガイドホール２０６の接触部２０６ａに係止されているために、開口ホール２０２を通じてケース２０１の内側にシャッター２１０を押してもシャッター２１０が押されなくなる。したがって、外力によるシャッター２１０の変形も防止され、開口ホール２０２の閉鎖状態もかたく保持できる。
【００２３】
次に、図１２ないし図１４は、本発明の他の実施例によるディスクカートリッジを示したものである。図中で前述した実施例と同じ参照符号は同一機能を行う同一部材を示す。
【００２４】
図示したように、本実施例のディスクカートリッジは前述した実施例の構成とほぼ同一であるが、カバー２０３’に開放ホールのような孔を形成せずに全面が完全に塞がれている点と、クランプ部材２４０’をそのカバー２０３’の内側面に設置した点とが異なる。すなわち、本実施例ではホコリが流入されうる開放ホールをカバー２０３’に最初から設けないことによりカバー２０３’側では完全に密閉された状態を保持可能にしたものである。このようにカバー２０３’が塞がれるにつれてクランプ部材２４０’はカバー２０３’の内側面に設置されるが、そのためにクランプ部材２４０’をヨーク２４２とクランプホルダー２４１およびカバー２０３’の内側面に付着されるリング部材２４４で構成して、クランプホルダー２４１をリング部材２４４の枠部に接触させて支持した。
【００２５】
構成のディスクカートリッジがディスクドライブ装置内にロードされて記録再生作業が進行される時には、図１３に示すようにターンテーブルＴとクランプホルダー２４１間にディスクＤがクランプされ、ディスクドライブ装置からアンロードされれば、図１４に示すようにクランプホルダー２４１がディスクＤとカバー２０３’内側面間にクランプされる。
【００２６】
したがって、本実施例のディスクカートリッジはカバー２０３’側を通じるホコリの流入を根本的に回避できる。その他シャッター開閉などを含む他の機能は前述した実施例と同一である。
【産業上の利用可能性】
【００２７】
前述したような本発明のディスクカートリッジは次のような効果を持つ。
【００２８】
第１に、カバー側の外部と通じる孔を閉塞することによってホコリの流入を抑制してディスク記録面が汚染される可能性を減らしうる。
【００２９】
第２に、クランプ部材をカートリッジに設置しているために、ディスクドライブ装置を簡素化かつスリム化させるのに有利である。
【００３０】
第３に、支持部材の端部をガイドホールの接触部に係止させることによって外力によるシャッターの変形を防止して閉鎖状態をかたく保持できる。
【００３１】
第４に、ケース内のシャッターがディスクの非情報領域にのみ接触するように構成されており、開口ホールの開閉のための動作時にもディスク情報領域を安全に保存できる。
【００３２】
第５に、カバーを開閉自在にケースに設置してディスク交換を便利にすることができる。
【図面の簡単な説明】
【００３３】
【図１】従来のディスクカートリッジを示す斜視図である。
【図２Ａ】図１に示したディスクカートリッジのシャッター開閉状態を示す平面図である。
【図２Ｂ】図１に示したディスクカートリッジのシャッター開閉状態を示す平面図である。
【図３】本発明の一実施例によるディスクカートリッジの分離斜視図である。
【図４】図３の結合状態を示す図である。
【図５】図３に示したディスクカートリッジのシャッター閉鎖状態を示す平面図である。
【図６】図３に示したディスクカートリッジのシャッター開放状態を示す平面図である。
【図７】図５のＡ−Ａ’線断面図である。
【図８】図５のＢ−Ｂ’線断面図である。
【図９】図６のＣ−Ｃ’線断面図である。
【図１０】図３に示したディスクカートリッジ内のディスクがクランプされた状態を示す図である。
【図１１】図３に示したディスクカートリッジ内のクランプホルダーがクランプされた状態を示す図である。
【図１２】本発明の他の実施例によるディスクカートリッジの分離斜視図である。
【図１３】図１２に示したディスクカートリッジ内のディスクがクランプされた状態を示す図である。
【図１４】図１２に示したディスクカートリッジ内のクランプホルダーがクランプされた状態を示す図である。
【図１】
2005518623.tif 000003
【図２Ａ】
2005518623.tif 000004
【図２Ｂ】
2005518623.tif 000005
【図３】
2005518623.tif 000006
【図４】
2005518623.tif 000007
【図５】
2005518623.tif 000008
【図６】
2005518623.tif 000009
【図７】
2005518623.tif 000010
【図８】
2005518623.tif 000011
【図９】
2005518623.tif 000012
【図１０】
2005518623.tif 000013
【図１１】
2005518623.tif 000014
【図１２】
2005518623.tif 000015
【図１３】
2005518623.tif 000016
【図１４】
2005518623.tif 000017
【国際調査報告】
2005518623.tif 000018
2005518623.tif 000019